(57)【要約】【課題】本発明は、ピッチの狭小化に対応でき、接触部５２が両面にあるＦＰＣ２２にも対応可能なコネクタを提供せんとするものである。【解決手段】ＦＰＣ２２と接触する接触部５２を有する所要数のコンタクトと、コンタクトが保持・固定されるとともにＦＰＣ２２が挿入される嵌合口２４を有するハウジング１２とを備えるコネクタ１０において、ＦＰＣ２２の表裏両面に接触部５２がある時に、２種類のコンタクト１４、１６を用い、一方のコンタクト１４をハウジング１２の嵌合口２４の反対側から挿入するとともコンタクト１４の接触部３０がＦＰＣ２２の表面の接触部５２に接触し、もう一方のコンタクト１６をハウジング１２の嵌合口２４側より挿入するとともにコンタクト１６の接触部２０がＦＰＣ２２の裏面の接触部５２に接触するようにする。【選択図】  図２
2011023371.tif 000002
【特許請求の範囲】
【請求項１】
フレキシブルプリント基板（ＦＰＣ）と着脱自在に嵌合するコネクタであって、該フレキシブルプリント基板と接触する接触部を有する所要数のコンタクトと、このコンタクトが保持・固定されるとともに前記フレキシブルプリント基板が挿入される嵌合口を有するハウジングとを備えるコネクタにおいて、
前記フレキシブルプリント基板の表裏両面に接触部がある時に、２種類のコンタクト用い、一方のコンタクトを前記ハウジングの嵌合口の反対側から挿入するととも該コンタクトの接触部が前記フレキシブルプリント基板の表面の接触部に接触し、もう一方のコンタクトを前記ハウジングの嵌合口側より挿入するとともに該コンタクトの接触部が前記フレキシブルプリント基板の裏面の接触部に接触するようにしたことを特徴とするコネクタ。
【請求項２】
２種類のコンタクトを１対とし、１対のコンタクトの接触部を対向するように配置し、前記フレキシブルプリント基板を１対のコンタクトで挟み込むようにしたことを特徴とする請求項１記載のコネクタ。
【請求項３】
１対のコンタクトの接触部が長手方向で千鳥になるように配置したことを特徴とする請求項２記載のコネクタ。
【請求項４】
前記ハウジングには前記嵌合口側に前記フレキシブルプリント基板を誘う凹部を設け、もう一方の前記コンタクトの接続部を前記ハウジングの凹部内から突出しないように配置したことを特徴とする請求項３記載のコネクタ。
【請求項５】
前記フレキシブルプリント基板を前記ハウジングの嵌合口へ挿入する際に力の掛からないゼロ  インサーション  フォース（ＺＩＦ）構造にするために、前記フレキシブルプリント基板を挿入してから前記コンタクトに押しつけるスライダーを用いたことを特徴とする請求項４記載のコネクタ。
【請求項６】
一方のコンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトは接触部と接続部とを有するとともに該接続部が前記ハウジングの凹部内に入るように配置し、前記スライダーに長手方向に連設した押圧部を設け、該押圧部が一方のコンタクトの接続部と押受部との間で前記押圧部が回動自在に回動するように前記スライダーを前記ハウジングに装着したことを特徴とする請求項５記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）の表裏両面に接触部がある場合にコネクタの狭小化を図ったものである。
【背景技術】
【０００２】
携帯電話やＣＣＤカメラ等に使用されるコネクタは、狭ピッチで極薄（所謂軽薄短小）であり、主にハウジングとコンタクトとを備え、ハウジングにＦＰＣを挿入し、コンタクトの接触部に接触させう構造のものや主にハウジングとコンタクトとスライダーとを備え、ハウジングとスライダーとでＦＰＣを挟持する構造である。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とから構成されている。このコンタクトは、圧入等によってハウジングに固定されている。
【特許文献１】例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【特許文献２】所謂、ピアノタッチ構造としては、特開平１３−２５７０２０号に、コネクタのコンタクトとＦＰＣ叉はＦＦＣのパターンとの位置合わせを確実に行うことを目的とし、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ叉はＦＦＣのパターン間の凹部に入ることにより、コネクタのコンタクトとＦＰＣ叉はＦＦＣのパターンとの位置合わせを確実に行うものが開示されている。
【特許文献３】特開平５−３２６０８４号の要約によると、回路基板用コネクタに関し、端片に沿う信号入出力用端子の隣接間ピッチや該端子自体が特に狭小化した回路基板でも位置ずれ等を発生させることなく確実に接続させて生産性の向上を図ることを目的とし、文献３には回路基板端辺に数列して形成されている複数の信号入出力用端子と個々に接続するジャック端子が該各信号入出力用端子と対応する位置に植設されている絶縁体の該ジャック端子コンタクト側開口に回路基板をその信号入出力用端子形成辺側から挿入した後、該回路基板をジャック端子のコンタクト側に押圧移動させて対応するコンタクトと信号入出力用端子とを接続させる回路基板用コネクタであって、絶縁体の回路基板が挿入される領域に、所定位置まで挿入したときの回路基板を少なくともその信号入出力用端子形成領域の幅方向側辺で位置決めし得る手段を具えて構成するものが開示されている。
【発明の開示】
【発明が解決しようとする課題】
【０００３】
近年、この種のコネクタでは、電気機器（電子機器）の小型化に伴い、より一層の小型化の要求が強くなり、かつ、狭ピッチ化の要求が強くなると同時に信号密度を高めるためにＦＰＣの両面に接触部を設けることが必要になってきた。
しかしながら、上述した構造のコネクタでは、両面に接触部があるＦＰＣに対応することができなく、狭ピッチ化にも対応することが出来ないといった課題があった。
即ち、文献１のようなＺＩＦタイプのものでは、前記ＦＰＣを前記ハウジングに挿入後、前記スライダーにより前記ＦＰＣを一方に押しつけて、前記コンタクトに接触させる構造であり、接触部が表裏両面にあるＦＰＣには対応出来ない（一方側の面にしか押しつけられない。）。また、文献２のような前記ハウジングの前記ＦＰＣ挿入側で前記スライダーを回転させる所謂ピアノタッチタイプでも、ＺＩＦタイプ同様に、前記スライダーにより前記ＦＰＣを一方に押しつけて、前記コンタクトに接触させる構造であり、接触部が表裏両面にあるＦＰＣには対応出来ない（一方側の面にしか押しつけられない。）。
【０００４】
本発明は、このような従来の問題点に鑑みてなされたもので、ピッチの狭小化に対応でき、接触部が両面にあるＦＰＣにも対応可能なコネクタを提供せんとするものである。
【課題を解決するための手段】
【０００５】
上記目的は、ＦＰＣと着脱自在に嵌合するコネクタであって、該ＦＰＣと接触する接触部を有する所要数のコンタクトと、このコンタクトが保持・固定されるとともに前記ＦＰＣが挿入される嵌合口を有するハウジングとを備えるコネクタにおいて、前記ＦＰＣの表裏両面に接触部がある時に、２種類のコンタクト用い、一方のコンタクトを前記ハウジングの嵌合口の反対側から挿入するととも該コンタクトの接触部が前記ＦＰＣの表面の接触部に接触し、もう一方のコンタクトを前記ハウジングの嵌合口側より挿入するとともに該コンタクトの接触部が前記ＦＰＣの裏面の接触部に接触するようにするにより達成できる。
【０００６】
２種類のコンタクトを１対とし、１対のコンタクトの接触部を対向するように配置し、前記ＦＰＣを１対のコンタクトで挟み込むようにする。このように１対のコンタクトの接触部で前記ＦＰＣを挟み込むことで、上側の前記コンタクトの接触部が前記ＦＰＣの表面側の接触部に接触し、下側の前記コンタクトの接触部が前記ＦＰＣの裏面側の接触部に接触する。
１対のコンタクトの接触部が長手方向で千鳥になるように配置する。このように千鳥に配置することで、より狭小ピッチ化が可能になる。
前記ハウジングには前記嵌合口側に前記フレキシブルプリント基板を誘う凹部を設け、もう一方の前記コンタクトの接続部を前記ハウジングの凹部内から突出しないように配置する。このようにすることで、容易に前記ＦＰＣを前記ハウジングの嵌合口内に導くことができる。
【０００７】
前記フレキシブルプリント基板を前記ハウジングの嵌合口へ挿入する際に力の掛からないゼロ  インサーション  フォース（ＺＩＦ）構造にするために、前記フレキシブルプリント基板を挿入してから前記コンタクトに押しつけるスライダーを用いる。このようにＺＩＦ構造にすることで、容易にＦＰＣを前記ハウジングの嵌合口内に挿入することができ、確実にＦＰＣの表裏両面の接触部に接続することができる。
一方のコンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトは接触部と接続部とを有するとともに該接続部が前記ハウジングの凹部内に入るように配置し、前記スライダーに長手方向に連設した押圧部を設け、該押圧部が一方のコンタクトの接続部と押受部との間で前記押圧部が回動自在に回動するように前記スライダーを前記ハウジングに装着する。このように前記ハウジングの嵌合口側と反対側で前記スライダーを回動することにより、前記ＦＰＣに前記コンタクトを押しつけているため、表裏両面に接触部があるＦＰＣにも対応することができ、確実に接触することができる。
【０００８】
本願の作用としては、前記ＦＰＣが前記ハウジングの嵌合口内に挿入された後に、前記スライダーの押圧部が一方の前記コンタクトの接続部と押受部との間で回動すると、前記押受部が押圧部によって押し上げられることで一方の前記コンタクトの支点部を支点にし、一方の前記コンタクトの弾性部が前記接触部側に傾くことによって、一方の前記コンタクトの前記接触部が前記ＦＰＣの表面側に押圧され、前記ＦＰＣの裏面側にもう一方の前記コンタクトが押圧されることになる。
【発明の効果】
【０００９】
以上の説明から明らかなように、本発明のコネクタ１０によると、次のような優れた顕著な効果が得られる。
（１）前記ＦＰＣ２２の表裏両面に接触部５２、５２がある時に、２種類のコンタクト１４、１６用い、一方のコンタクト１４を前記ハウジング１２の嵌合口２４の反対側から挿入するととも該コンタクト１４の接触部３０が前記ＦＰＣ２２の表面の接触部５２に接触し、もう一方のコンタクト１６を前記ハウジング１２の嵌合口２４側より挿入するとともに該コンタクト１６の接触部２０が前記ＦＰＣ２２の裏面の接触部５２に接触するようにしているので、表裏両面に接触部５２、５２を有する前記ＦＰＣ２２にも容易に対応でき、狭小化も図ることができ、信号密度を高めることができる。
（２）２種類のコンタクト１４、１６を１対とし、１対のコンタクト１４、１６の接触部３０、２０を対向するように配置し、前記ＦＰＣ２２を１対のコンタクト１４、１６で挟み込むようにしているので、一方の前記コンタクト１４の接触部３０が前記ＦＰＣ２２の表面側の接触部５２に接触し、もう一方の前記コンタクト１６の接触部２０が前記ＦＰＣ２２の裏面側の接触部５２に容易に接触できる。
（３）前記ＦＰＣ２２の表裏両面に設けられた接触部５２、５２が長手方向で千鳥に配置されている場合に、１対のコンタクト１４、１６の接触部３０、２０を長手方向で千鳥になるように配置しているので、より狭小ピッチ化が可能になり、信号密度を高めることができ、容易にＦＰＣ２２の接触部５２、５２の位置に対応できる。
（４）前記ハウジング１２には前記嵌合口２４側に前記ＦＰＣ２２を誘う凹部２６を設け、もう一方の前記コンタクト１６の接続部３４を前記ハウジング１２の凹部２６内から突出しないように配置しているので、確実にＦＰＣ２２を前記ハウジング１２の嵌合口２４に案内することができる。
（５）前記ＦＰＣ２２を前記ハウジング１２の嵌合口２４へ挿入する際に力の掛からないゼロ  インサーション  フォース（ＺＩＦ）構造にするために、前記ＦＰＣ２２を挿入してから前記コンタクト１４に押しつけるスライダー１８を用いているので、容易に前記ＦＰＣ２２を前記ハウジング１２の嵌合口２４内に挿入することができ、確実に前記ＦＰＣ２２の表裏両面の接触部５２、５２に接続することができる。
（６）一方のコンタクト１４には接触部３０と接続部３４との間に弾性部４０と支点部３８とを設けるとともに前記接触部３０と前記弾性部４０と前記支点部３８と前記接続部３４とを略クランク形状に配置し、かつ、前記接続部３４と対向する位置に前記弾性部４０から延設された押受部３２を設け、もう一方のコンタクト１６は接触部２０と接続部３４とを有するとともに該接続部３４が前記ハウジング１２の凹部２６内に入るように配置し、前記スライダー１８に長手方向に連設した押圧部５０を設け、該押圧部５０が一方のコンタクト１４の接続部３４と押受部３２との間で前記押圧部５０が回動自在に回動するように前記スライダー１８を前記ハウジング１２に装着しているので、前記ハウジング１２の嵌合口２４側と反対側で前記スライダー１８を回動することにより、前記ＦＰＣ２２に前記コンタクト１４を押しつけているため、表裏両面に接触部５２、５２があるＦＰＣ２２にも対応することができ、確実に前記ＦＰＣ２２の接触部５２、５２に接触することができる。
（７）スライダー１８をハウジング１２のコンタクト接続部３４側で回動させることで、２種類のコンタクト１４、１６の接触部３０、２０をＦＰＣ２２に接触させる構造にしているので、ハウジング１２の嵌合口２４にスライダー１８を挿入することがなく、スライダーの厚み分だけコネクタの低背位化が可能になった。
【発明を実施するための最良の形態】
【００１０】
本発明の重要な特徴は、「前記ＦＰＣの表裏両面に接触部がある時に、２種類のコンタクト用い、一方のコンタクトを前記ハウジングの嵌合口の反対側から挿入するととも該コンタクトの接触部が前記ＦＰＣの表面の接触部に接触し、もう一方のコンタクトを前記ハウジングの嵌合口側より挿入するとともに該コンタクトの接触部が前記ＦＰＣの裏面の接触部に接触するようにする」点にある。この特徴を活かした形態には、２つタイプがある。２つのタイプとも、ＦＰＣをコンタクトに接触させる構造である点では同じであるが、ＦＰＣをコンタクトに接触させる仕方に相違がある。
第一の構造のコネクタは、主にハウジングとコンタクトとスライダーとを備えており、前記スライダーが回動してＦＰＣをコンタクトに押しつけるタイプのものであり、所謂ピアノタッチ方式と称するタイプのコネクタである。前記スライダーを回動させる位置としては、コンタクト接続側（テール側）である。以下の実施例では、このタイプのものを詳細に説明する。
【００１１】
第二の構造のコネクタは、主にハウジングとコンタクトとを備えており、前記ＦＰＣを前記ハウジングの嵌合口へ挿入して、前記ＦＰＣを前記コンタクトに接触させる（押しつける）タイプのものであり、スライダーを使用しない所謂ＮＯＮ  ＺＩＦタイプのコネクタと称されるものである。即ち、前記ＦＰＣの厚さより狭い、前記コンタクト接触部間や前記コンタクトと前記ハウジングとの間に、前記ＦＰＣを無理に挿入して、前記コンタクトに接触させる（押しつける）ものである。
上述した２つの構造とも、２種類のコンタクト用い、一方のコンタクトの接触部が前記ＦＰＣの表面の接触部に接触し、もう一方のコンタクトの接触部が前記ＦＰＣの裏面の接触部に接触するようにしたことは言うまでもない。
【実施例】
【００１２】
図１から図７に基づいて、本発明のコネクタの一実施例について説明する。図１（Ａ）はスライダーが開いた状態の嵌合口側からみた本発明のコネクタの斜視図であり、（Ｂ）はＦＰＣが挿入され、スライダーが閉じた状態の嵌合口側からみた本発明のコネクタの斜視図である。図２（Ａ）はスライダーが開いた状態のあるコンタクト部分で切断した本発明のコネクタの斜視図であり、（Ｂ）はＦＰＣが挿入されスライダーが閉じた状態のあるコンタクト部分で切断した本発明のコネクタの斜視図である。図３（Ａ）はＦＰＣの接触部が千鳥に配列された場合のスライダーが開いた状態の図２（Ａ）とは別のあるコンタクト部分で切断した本発明のコネクタの斜視図であり、（Ｂ）はＦＰＣの接触部が千鳥に配列された場合のＦＰＣが挿入されスライダーが閉じた状態の図２（Ｂ）とは別のあるコンタクト部分で切断した本発明のコネクタの斜視図である。図４（Ａ）は一方のコンタクトの斜視図であり、（Ｂ）はもう一方のコンタクトの斜視図である。図５は２種類のコンタクトがＦＰＣに接触した状態の斜視図である。図６は部分的なＦＰＣの斜視図であり、図７はスライダーの斜視図である。
一実施例の本発明のコネクタ１０は、主にハウジング１２とスライダー１８とコンタクト１４、１６とを備えている。該コネクタ１０は、２種類のコンタクト１４、１６をハウジング１２への挿入方向を変えて配列しており、挿入方向を変えて配列することによってＦＰＣの表裏両面にある接触部に対応するようにしたものである。また、場合によっては、前記ＦＰＣの表裏両面にある接触部が千鳥に配列されている際には、２種類のコンタクト１４、１６の接触部の位置を変えたものを使用し、接触部が相違する各コンタクトを千鳥に配置している。
【００１３】
構成部品を説明する前に、ＦＰＣ２２について説明する。前記ＦＰＣ２２には、主にコンタクト１４、１６の接触部３０と接触する接触部５２と該接触部５２から回路へ繋がるパターンとを備えている。図６のように、本実施例では前記ＦＰＣ２２の接触部５２は表裏両面に配置されている。
【００１４】
まず、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１５】
前記ハウジング１２には、所要数のコンタクト１４、１６が装着される挿入溝２８が設けられており、圧入や引っ掛け（ランス）や溶着等によって固定されている。また、前記ハウジング１２には前記ＦＰＣ２２が挿入される嵌合口２４が設けられ、前記嵌合口２４側に前記ＦＰＣ２２を誘う凹部２６が設けられている。該凹部２６の大きさは、前記ハウジング１２の強度や前記コンタクト１６の接続性（半田付け性）や前記ＦＰＣ２２の誘い易さを考慮し、前記コンタクト１６の接続部３４が前記ハウジング１２の凹部２６内から突出しないように適宜設計されている。前記嵌合口２４の大きさは前記ＦＰＣ２２が挿入でき、前記ＦＰＣ２２が挿入された際に前記スライダー１８で前記コンタクト１４、１６に押圧できるように適宜設計されている。前記ハウジング１２の長手方向両側には、前記スライダー１８の軸４６が回動可能に装着される軸受部が設けられている。この軸受部の形状や大きさは、スライダー１８の軸４６が回動できるように装着されていれば如何なるものでもよく、この役割やハウジング１２の強度や大きさ等を考慮して適宜設計する。さらにまた、長手方向両側には、前記スライダー１８のロック部に対応した位置に係止部が設けられている。
【００１６】
次に、本発明のポイント部分である２種類のコンタクト１４、１６について説明する。この２種類のコンタクト１４、１６は金属製であり、公知技術のプレス加工によって製作されている。前記コンタクト１４、１６の材質としては、バネ性や導電性などが要求されるので、黄銅やベリリウム銅やリン青銅等を挙げることができる。
【００１７】
一方の前記コンタクト１４は、図４（Ａ）のように倒略ｈ形状をしており、主にＦＰＣ２２と接触する接触部３０と基板に接続する接続部３４とハウジング１２に固定する固定部３６と前記接触部３０と前記接続部３６との間に設けられた弾性部４０及び支点部３８と前記接続部３６と対向する位置に前記弾性部４０から延設された押受部３２とを備えている。前記接触部３０と前記弾性部４０と前記支点部３８と前記接続部３４とは、略クランク形状に配置されている。前記接触部３０は、ＦＰＣ２２と接触し易いように凸部形状にしており、前記接続部３４は本実施例では図１のように表面実装タイプ（ＳＭＴ）にしているが、ディップタイプでも良い。即ち、一方の前記コンタクト１４の接触部３０は、前記ＦＰＣ２２の表面側の接触部５２に接触することになる。
【００１８】
前記支点部３８と前記弾性部４０と前記押受部３２とは、前記ＦＰＣ２２が挿入された際に、次のような作用を果たすための部分である。前記ＦＰＣ２２が前記ハウジング１２の嵌合口２４内に挿入された後に、前記スライダー１８の押圧部５０が前記コンタクト１４の接続部３４と押受部３２との間で回動すると、前記押受部３２が押圧部５０によって押し上げられることで前記コンタクト１４の支点部３８を支点にし、前記コンタクト１４の弾性部４０が前記接触部３０側に傾くことによって、前記接触部３０が前記ＦＰＣ２２側に押圧される。前記支点部３８と前記弾性部４０と前記押受部３２の大きさや形状は、このような作用を果たすために、適宜設計されている。また、前記コンタクト１４の押受部３２の先端に突出部４４を設け、スライダー１８の押圧部５０をコンタクト１４の押受部３２と接続部３４との間で回動させるとき、前記スライダー１８の係止孔４８に係合させることで、スライダー１８の回動に対する強い反発力に対抗し、スライダー１８の中央部が図１（Ａ）の矢印「ロ」方向に膨れてしまうことを防ぐようにすることが望ましい。前記突出部４４の大きさは、このような役割を果たすことが出来れば如何なる大きさでもよく、スライダー１８の係止孔４８が引っ掛かる程度に適宜設計する。
【００１９】
もう一方のコンタクト１６について説明する。もう一方の前記コンタクト１６は図４（Ｂ）のように倒略Ｉ字形状をしており、主にＦＰＣ２２と接触する接触部２０と基板に接続する接続部３４とハウジング１２に固定する固定部３６とを備え、前記接触部２０と前記一方のコンタクト１４の接触部３０とで、前記ＦＰＣ２２を挟持するようにしている。即ち、前記もう一方のコンタクト１６の接触部２０は、前記ＦＰＣ２２の裏面の接触部５２に接触することになる。このように前記一方のコンタクト１４と前記もう一方のコンタクト１６を配置することにより、前記ＦＰＣ２２の挿入方向に対して、前記ＦＰＣ２２の表裏両面に接触部３０、２０が配置されることで、前記ＦＰＣ２２を２つの接触部３０、２０で挟持することになり、確実に前記ＦＰＣ２２の表裏両面の接触部５２、５２と接触できるようになる。前記接続部３４は、一方のコンタクト１４と同様に表面実装タイプ（ＳＭＴ）にしているが、ディップタイプでも良い。
【００２０】
上述のように、前記一方のコンタクト１４の接触部３０は前記ＦＰＣ２２の表面側の接触部５２と接触し、前記もう一方のコンタクト１６の接触部２０は前記ＦＰＣ２２の裏面側の接触部５２と接触することになり、２種類のコンタクト１４、１６を１対とし、１対のコンタクト１４、１６の接触部３０、２０を対向するように配置し、前記ＦＰＣ２２を１対のコンタクト１４、１６で挟み込むようしたもので
あり、２種類の前記コンタクト１４、１６の接触部３０、２０は前記ＦＰＣ２２の接触部５２、５２に対応するように適宜設計される。図６のように前記ＦＰＣ２２の表裏両面に設けられた接触部５２、５２が長手方向で千鳥に配置されている場合には、図４に示した２種類のコンタクト１４、１６とは別に接触部３０、２０の位置を変えたものを用意し、図５のように接触させている。すなわち、接触部３０、２０の位置を変えるとは、前記一方のコンタクト１４においては弾性部４０から接触部３０までの長さを変えることであり、前記もう一方のコンタクト１６においては固定部３６から接触部２０までの長さを変えることである。
【００２１】
最後に、スライダー１８について説明する。このスライダー１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１８は主にハウジング１２に回動可能に装着される軸４６部分と前記コンタクト１４、１６の押受部３２を押圧する押圧部５０と前記コンタクト１４、１６の突出部４４が係合する係止孔４８とを備えている。前記軸４６は、スライダー１８を回動するための支点であり、ハウジング１２の長手方向両側にスライダー１８が回動可能に適宜装着されている。また、長手方向両側には、前記コンタクト１４、１６の押受部３２を押圧した際にスライダー１８が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタ１０の大きさや強度等を考慮して適宜設計する。
【００２２】
前記スライダー１８の前記押圧部５０は、コンタクト１４、１６の押受部３２に押し付ける部分であり、その形状としては細長形状にすることが望ましく、本実施例では楕円形状をしている。このように楕円形状にすることによって、図１（Ａ）のようにスライダー１８を矢印「イ」方向に回動させ、コンタクト１４の押受部３２と接続部３４との間で回転させることで、押圧部５０の大きさの変化によりコンタクト１４の押受部３２が持ち上げられ、ＦＰＣ２２をコンタクト１４の接触部３０側に押し付けている。押圧部５０の形状としては、コンタクト１４の押受部３２と接続部３４との間で回転でき、長軸と短軸といった大きさの違いによりコンタクト１４の押受部３２を押し上げられれば、如何なるものでもよい。
また、前記スライダー１８を回動した際に、スライダー１８の回動に対する反発力が強く、スライダーの中央部が図１（Ａ）の矢印「ロ」方向に膨れてしまうことを防ぐようにする為に、前記コンタクト１４の突出部４４が係合する係止孔４８が別個独立に設けられている。前記係止孔４８を別個独立に設けることで、スライダー１８の強度アップや回動時の変形を防止している。
上述した前記スライダー１８は前記ハウジング１２の嵌合口２４と反対側（一方のコンタクトの接続部側）に回動自在に装着されている。
【産業上の利用可能性】
【００２３】
本発明は、携帯電話やノートパソコンやデジタルカメラ等に使用されるコネクタに関するもので、特にフレキシブルプリント基板（以下「ＦＰＣ」という）の表裏両面に接触部がある場合にコネクタの狭小化を図ったものである。
【図面の簡単な説明】
【００２４】
【図１】（Ａ）  スライダーが開いた状態の嵌合口側からみた本発明のコネクタの斜視図である。（Ｂ）  ＦＰＣが挿入され、スライダーが閉じた状態の嵌合口側からみた本発明のコネクタの斜視図である。
【図２】（Ａ）  スライダーが開いた状態のあるコンタクト部分で切断した本発明のコネクタの斜視図である。（Ｂ）  ＦＰＣが挿入されスライダーが閉じた状態のあるコンタクト部分で切断した本発明のコネクタの斜視図である。
【図３】（Ａ）  ＦＰＣの接触部が千鳥に配列された場合のスライダーが開いた状態の図２（Ａ）とは別のあるコンタクト部分で切断した本発明のコネクタの斜視図である。（Ｂ）  ＦＰＣの接触部が千鳥に配列された場合のＦＰＣが挿入されスライダーが閉じた状態の図２（Ｂ）とは別のあるコンタクト部分で切断した本発明のコネクタの斜視図である。
【図４】（Ａ）  一方のコンタクトの斜視図である。（Ｂ）  もう一方のコンタクトの斜視図である。
【図５】２種類のコンタクトがＦＰＣに接触した状態の斜視図である。
【図６】部分的なＦＰＣの斜視図である。
【図７】スライダーの斜視図である。
【符号の説明】
【００２５】
１０                コネクタ
１２                ハウジング
１４、１６          コンタクト
１８                スライダー
２２                ＦＰＣ
２４                嵌合口
２６                凹部
２８                挿入溝
３０、２０、５２    接触部
３２                押受部
３４                接続部
３６                固定部
３８                支点部
４０                弾性部
４４                突出部
４６                軸
４８                係止孔
５０                押圧部
【図１】
2011023371.tif 000003
【図２】
2011023371.tif 000004
【図３】
2011023371.tif 000005
【図４】
2011023371.tif 000006
【図５】
2011023371.tif 000007
【図６】
2011023371.tif 000008
【図７】
2011023371.tif 000009